(57)【要約】【課題】  免振構造設備を安くするため、建築ベタ基礎のベースを、上と下の二重構造にした免振構造で、地震後の上のベース基礎の位置ズレを、ジャッキで、元に戻すシンプルな仕組み構造で、コストが安く、施工が簡単な、ダブルベタ基礎免振構造を提供する。【解決手段】  従来のベタ基礎（１）のベースを、上のベース基礎（３）と下のベース基礎（４）に、水平に切断絶縁した形状（２）の二重構造にした免振構造で、地震時の建築物を含む、上のベース基礎（３）の位置のズレ（２３）の許容範囲を決めて、地震後の上のベース基礎（３）のズレ（２３）を、下のベース基礎（４）に、コの字型横押しジャッキ台（１９）を設置し、ジャッキ（１４）で、上のベース基礎（３）を押して元に戻すシンプルな仕組み構造で、施工が簡単で、コストが安くするのを特徴とする。【選択図】図３
2013050014.tif 000002
【特許請求の範囲】
【請求項１】
従来のベタ基礎（１）のベースを上と下の二重構造にした免振構造で、地震時に、上のベース基礎（３）の位置ズレ（２３）の許容範囲を決めておき、地震後の、上のベース基礎（３）の位置ズレ（２３）を、下のベース基礎（４）に、コの字型横押しジャッキ台（１９）を設置し、そのコの字型横押しジャッキ台（１９）から、ジャッキ（１４）で、上のベース基礎（３）を押して元に戻す、ダブルベタ基礎免振構造。
【請求項２】
円柱形の発砲スチロール（８）の円径より、地震時の建築物位置ズレ（２３）の許容範囲と、アンカーボルト（７）に、二重ナット（１２）でスプリングが利く位置に、締め付け固定し、スプリング又は、スプリングワッシャー（１０）によって、地震の横揺れと縦揺れ対応させる、ダブルベタ基礎免振構造。
【発明の詳細な説明】
【技術分野】
【０００１】  本案は、建築ベタ基礎のベースを上と下の二重構造にした免振構造で、地震後の建築物位置のズレを、横押しジャッキ台を設置し、ジャッキで上のベース基礎を押して元に戻す、シンプルな仕組み構造によるダブルベタ基礎免振構造に関するものである。
【背景技術】
【０００２】  従来の免振構造は、建物と地盤との間に積層ゴムなどの特殊な装置を付け地盤と絶縁し、地震力を建物に直接伝えないようにした構造で、地震に強いだけでなく、揺れそのものを軽減することによって、室内の損傷などの被害を防ぐことができる。
【先行技術文献】
【０００３】
【特許文献１】
【発明の概要】
【発明が解決しようとする課題】
【０００４】    これは、次のような欠点があった。
従来の免振構造は、大地震が一生に一度来るか来ないかもわからないのにコストが高い、それらは、積層ゴムなどで、地震後建築物が元の位置戻るなど、構造が精密で、施工が特殊で、難しく手間がかかった、さらに、高い精密さ故に大地震後と定期的メンテナンスのため、コストが要求され、一般化ができなかった。本案は、以上のような欠点をなくすためになされた、ダブルベタ基礎免振構造である。
【課題を解決するための手段】
【０００５】  施工手順と構造構成は、従来のベタ基礎（１）のベース全体を、水平に切断絶縁した形状（２）で、上のベース基礎（３）と、下のベース基礎（４）にわける、その間に、ビニールシートの又は、すべり材シート（５）などにグリス油を塗って、滑るようにする。
基礎コンクリート型枠の内側に、下のベース基礎（４）外側周辺全体に５００ｍｍピッチ前後に、アイボルト用メスアンカーボルト（６）を設置する、そして、アンカーボルト（７）を、下のベース基礎（４）の内部に、上のベース基礎（３）の立ち上がり部分に当たらないように、均等な位置と、建築構造に問題にならない位置に数本、下のベース基礎（４）に、アンカーボルト（７）を固定設置する。
そして、下のベース基礎（４）のコンクリート型枠にコンクリートを水平に打設する。次に、アンカーボルト（７）に、ビニールシート又は、すべり材シート（５）などにグリス油を塗った物に、貫通させて、下のベース基礎（４）の上に置く、さらに、ビニールシート又は、すべり材シート（５）の上に、円柱形の発砲スチロール（８）の、円の直径を、例えば１０ｃｍ前後にし、その円の中心に、アンカーボルト（７）に貫通して、円柱形の発砲スチロール（８）を設置する。
次に、上のベース基礎（３）のコンクリート型枠にコンクリート打設する、この時、円柱形の発砲スチロール（８）が、箱抜きのような形にする、円柱形の発砲スチロール（８）は、そのまま設置したままで良い。
次に、円柱形の発砲スチロール（８）の上に、円柱形の発砲スチロール（８）の円径より大きいワッシャー（９）を、アンカーボルト（７）に通し、次にスプリング又は、スプリングワッシャー（１０）を通し、次に通常のワッシャー（１１）通し、次に、二重ナット（１２）でナットが緩まないようにナット上下で締め付ける、下のスプリング又は、スプリングワッシャー（１０）の弾力が利くように、二重ナット（１２）が、下の方で、締めないようにする。
本案は、以上の構成よりなるダブルベタ基礎免振構造である。
【発明の効果】
【０００６】  本案は、従来のベタ基礎のベースを、上のベース基礎と下のベース基礎に、水平に切断絶縁した二重構造の免振構造で、大きな地震時は、建築物を含む、上のベース基礎の位置のズレを、許容範囲を決めて、上のベース基礎が動き、地震の揺れ衝撃を減少する事が出来る、そして、地震後の上のベース基礎の許容範囲位置のズレを、下のベース基礎のアイボルト用メスアンカーボルトに、アイボルトを設置し、シャクル、ワイヤー、バタ角材又は、鉄骨などを利用し、コの字型横押しジャッキ台を設置し、ジャッキで、上のベース基礎を押して元に戻す。
以上のようなシンプルな仕組み構造で、コストが安く、施工が簡単で、さらに、メンテナンスにもコストが安い、ダブルベタ基礎免振構造である。
【図面の簡単な説明】
【０００７】
【図１】  従来のベタ基礎を示した立面断面図である。
【図２】  本案のダブルベタ基礎免振構造を示した立面断面図である。
【図３】  本案の基礎のズレを直す時のジャッキの設置方法図を示した立面断面図である。
【図４】  本案の基礎のズレを直す時のジャッキ設置方法図を示す大まかな平面図である。
【図５】  本案の基礎のズレを直す時のジャッキの設置方法図を示した部分平面図である。
【発明を実施するための形態】
【０００８】  以下、本案を実地するための形態について説明する。
従来のベタ基礎（１）のベースを、上のベース基礎（３）と、下のベース基礎（４）を、水平に切断絶縁した形状（２）の二重構造で、その間に、ビニールシートの又は、すべり材シート（５）などにグリス油を塗って、滑るようにする。
下のベース基礎（４）外側周辺全体に５００ｍｍピッチ前後に、アイボルト用メスアンカーボルト（６）を設置し、下のベース基礎（４）の内部に、上のベース基礎（３）の立ち上がり部分を避けて、均等になるような位置と、建築構造に問題にならない位置に数本、上のベース基礎（３）が浮かないようにするため、アンカーボルト（７）を設置する。
下のベース基礎（４）コンクリート天端は、水平に打つ。
アンカーボルト（７）に、ビニールシート又は、すべり材シート（５）などにグリス油を塗った物に、貫通させて、下のベース基礎（４）の上に置く。
ビニールシート又は、すべり材シート（５）の上に、円柱形の発砲スチロール（８）の、円の直径を、例えば１０ｃｍ前後にし、その円の中心に、アンカーボルト（７）に貫通して、円柱形の発砲スチロール（８）を置く。
上のベース基礎（３）の枠にコンクリート打設する。
円柱形の発砲スチロール（８）が、箱抜きのような形にし、円柱形の発砲スチロール（８）は、そのまま設置したままで良い。
円柱形の発砲スチロール（８）の上に、円柱形の発砲スチロール（８）の円径より、大きいワッシャー（９）を、アンカーボルト（７）に通し、次に、スプリング又は、スプリングワッシャー（１０）を通し、通常のワッシャー（１１）通し、二重ナット（１２）でナットが緩まないようにナット上下で締め付ける、下のスプリング又は、スプリングワッシャー（１０）の弾力が利くように、二重ナット（１２）を下の方で締めないようにする。
本案は、以上のような構造である。
これを使用するときは、大きな地震時は、許容範囲内のズレ（２３）で、例えば１０ｃｍ前後にし、上のベース基礎（３）が動き、揺れ衝撃を減少する事が出来る、そして、地震後の建築物位置ズレ（２３）を、下のベース基礎（４）に、アイボルト（１５）設置し、シャクル（１６）、ワイヤー（１７）、バタ角材又は、鉄骨（１８）などを利用し、コの字型横押しジャッキ台（１９）を設置し、ジャッキ（１４）で、上のベース基礎（３）を押して元に戻す。
【実施例】
【０００９】  従来のベタ基礎（１）のベースを、上のベース基礎（３）と下のベース基礎（４）に、水平に切断絶縁した形状（２）の二重構造にした免振構造で、大きな地震が起きた時は、例えば１０ｃｍ前後の範囲で、上のベース基礎（３）が動き地震時の揺れ衝撃を減少する事が出来る、地震後の建築物位置のズレ（２３）を、下のベース基礎（４）に、アイボルト（１５）設置し、シャクル（１６）、ワイヤー（１７）、バタ角材又は、鉄骨（１８）などを利用し、コの字型横押しジャッキ台（１９）を設置し、ジャッキ（１４）で、上のベース基礎（３）を押して元に戻す。
アンカーボルト（７）付けた、スプリング又は、スプリングワッシャー（１０）によって、地震の縦揺れにも対応できる。
下のベース基礎（４）のコンクリート天端は、水平に打つためにセルフレベリングコンクリートを使用するとよい。
下のベース基礎（４）の上に乗る、上のベース基礎（３）の位置のズレ（２３）許容範囲は、任意に定める。
アイボルト用メスアンカーボルト（６）は、十分に引張り強度に耐えられる様にする。
【符号の説明】
【０００１０】１  従来のベタ基礎
２  水平に切断絶縁した形状
３  上のベース基礎
４  下のベース基礎
５  ビニールシート又は、すべり材
６  アイボルト用メスアンカーボルト
７  アンカーボルト
８  円柱形の発砲スチロール
９  大きいワッシャー
１０  スプリング又は、スプリングワッシャー
１１  ワッシャー
１２  二重ナット
１３  従来の土台用アンカーボルト
１４  ジャッキ
１５  アイボルト
１６  シャクル
１７  ワイヤー
１８  バタ角材又は、鉄骨
１９  コの字型横押しジャッキ台
２０  柱
２１  ＧＬ
２２  土台
２３  ズレ
【図１】
2013050014.tif 000003
【図２】
2013050014.tif 000004
【図３】
2013050014.tif 000005
【図４】
2013050014.tif 000006
【図５】
2013050014.tif 000007